(57)【要約】      （修正有）【課題】コンパクトで携帯に便利な手回し式ハンディシュレッダーを提供する。【解決手段】手回し式ハンディシュレッダーは、柱状の筒体で、上殻体１１、下殻体１２が合わさって形成されるハウジング１、伝動装置２を備える。上殻体１１には投入口１１１を設置し、下殻体１２には排出口１２１を設置し、ハウジング１内部には交差して並列する１組の破断式ローラーカッター１３を配置する。伝動装置２はハウジング１一端上に設置する回転動ユニット２１、ギアセット２２を備え、ギアセット２２両端にはローラーカッター１３と回転動ユニット２１とをそれぞれ連結する。伝動装置２の回転動ユニット２１によりギアセット２２を連動し、これによりローラーカッター１３の作動を駆動する。【選択図】図１
0003156670.tif 000002
【実用新案登録請求の範囲】
【請求項１】
ハウジング、伝動装置を備え、
前記ハウジングは、上、下殻体が合わさって形成され、円形、楕円形、三角形、四辺形、多辺形、或いは他の幾何学形状の柱状の筒体で、
前記上殻体には、投入口を設置し、前記下殻体には、排出口を設置し、
前記ハウジング内部には、交差して並列する１組の破断式ローラーカッターを配置し、
前記伝動装置は、回転動ユニット、ギアセットを備え、
前記回転動ユニットは、前記ハウジング一端上に設置し、
前記ギアセット両端には、前記ローラーカッターと前記回転動ユニットをそれぞれ連結し、前記ギアセットは、前記ローラーカッターの両端にそれぞれ設置し、或いは前記ローラーカッターの一端に集中して設置し、
前記伝動装置の回転動ユニットにより、前記ギアセットを連動し、これにより前記ローラーカッターの作動を駆動して、破断式の紙の破砕作動を達成することを特徴とする手回し式ハンディシュレッダー。
【請求項２】
前記ギアセットは、前記回転動ユニットに固定して設置する主動ホイール、前記ローラーカッターの一端上にそれぞれ固定して設置する２個の受動ホイール、前記主動ホイール及びその受動ホイールの傍らに設置し、前記主動ホイール及び前記受動ホイールと噛み合う伝動ホイールを備え、
前記ハウジングは長さを延長して、グリップエンドを設置可能で、これにより、使用者はグリップエンドを握って操作可能となり、
前記上殻体の投入口上には、挟持部品を設置し、紙を挟み、補助することを特徴とする請求項１に記載の手回し式ハンディシュレッダー。
【請求項３】
前記手回し式ハンディシュレッダーはさらに、シュレッダーを収納する袋体を備え、しかも前記袋体は、シュレッダー本体から外して、シュレッダー下方に装置し、破砕された紙の収集に用いることができることを特徴とする請求項１或いは２に記載の手回し式ハンディシュレッダー。
【請求項４】
前記下殻体の排出口上には、蓋板を可動状態で設置することを特徴とする請求項１或いは２に記載の手回し式ハンディシュレッダー。
【考案の詳細な説明】
【技術分野】
【０００１】
本考案は手回し式ハンディシュレッダーに関し、特にコンパクトで、携帯に便利な手回し式ハンディシュレッダーに関する。
【背景技術】
【０００２】
一般に、従来のシュレッダーは、床に設置するタイプの箱型体である。そのハウジングは極端に重く、移動させるには不便で、ましてや持ち運び、携帯するなど考えられるようなものではない。しかし、現代社会は商業活動が極めて盛んで頻繁であり、外出先での商談或いは協議の機会は低いとはいえない。けれども、外出に、従来のシュレッダーを携帯することなどは絶対にできないにもかかわらず、商談或いはビジネスに関わる協議の後には、機密に属する性質を帯びた多くの紙が残される。これらは、シュレッダーにより破棄しなければならないが、従来のシュレッダーは携帯不能であるため、人手により破砕することしかできない。しかし、その動作は、労力と時間を浪費し、しかも紙の破砕の程度を制御することは難しく、確実に機密保持の効果を達成しているとはいえない。よって、極めて不便である。
【０００３】
一方、携帯式シュレッダーと呼ばれるものもあるにはあり、その体積は従来の設置型のものより小型である。しかし、一般の交流電力、或いは数個の乾電池を電源として使用し、モーターと駆動部品を対応させて連動するため、やはり一定の重量と体積を備える。さらに、外出時の使用には、変圧器とプラグアダプターを合わせて携帯する必要があるため非常に不便で、しかも紙の破砕を執行する時には、ストライプ状にカットできるだけで、クロスカットすることができず、機密保持効果は低い。本考案は、従来のシュレッダーの上記した欠点に鑑みてなされたものである。
【考案の概要】
【考案が解決しようとする課題】
【０００４】
本考案が解決しようとする課題は、手回し式ハンディシュレッダーを提供することである。
【課題を解決するための手段】
【０００５】
上記課題を解決するため、本考案は下記の手回し式ハンディシュレッダーを提供する。
手回し式ハンディシュレッダーは、柱状の筒体で、上、下殻体が合わさって形成されるハウジング、伝動装置を備え、
該上殻体には投入口を設置し、該下殻体には排出口を設置し、
該ハウジング内部には交差して並列する１組の破断式ローラーカッターを配置し、
該伝動装置は、該ハウジング一端上に設置する回転動ユニット、ギアセットを備え、
該ギアセット両端には、該ローラーカッターと該回転動ユニットとをそれぞれ連結し、
該伝動装置の回転動ユニットにより、該ギアセットを連動し、これにより該ローラーカッターの作動を駆動して、破断式の紙の破砕作動を達成する。
【考案の効果】
【０００６】
本考案手回し式ハンディシュレッダーは、コンパクトで、携帯に便利である。
【図面の簡単な説明】
【０００７】
【図１】本考案第一実施例の立体分解模式図である。
【図２】本考案第一実施例の組合せ断面模式図である。
【図３】本考案第一実施例において、殻体にスリーブを被せて設置する様子を示す立体模式図である。
【図４】本考案第一実施例の別種の組合せを示す断面模式図である。
【図５】本考案第一実施例のさらに別種の組合せを示す断面模式図である。
【図６】本考案第二実施例の立体模式図である。
【図７】図６に示す実施例が作動する様子を示す模式図である。
【図８】図７に示す実施例が作動する様子を示す模式図である。
【図９】本考案の排出口に蓋板を可動状態で設置する様子の平面側からの仰視図である。
【図１０】本考案に袋本体を嵌めて設置する様子を示す平面模式図である。
【図１１】図１０に示す袋本体の実施例において、その作動の様子を示す模式図である。
【考案を実施するための形態】
【０００８】
以下に図面を参照しながら本考案を実施するための最良の形態について詳細に説明する。
【実施例】
【０００９】
図１、２に示すように、本考案手回し式ハンディシュレッダーは、ハウジング１、伝動装置２を備える。
【００１０】
ハウジング１は、柱状の筒体で、円形、楕円形、三角形、四辺形、多辺形、或いは他の幾何学形状の筒体をすることができる。ハウジング１は、上殻体１１と下殻体１２が合わさって形成される。ハウジング１内部には、交差して並列する１組の破断式ローラーカッター１３を配置する。上殻体１１の中央位置には、投入口１１１を設置する。下殻体１２には、投入口１１１に対応する排出口１２１を設置する。しかも、上、下殻体１１、１２内には、等距離を隔てて排列する複数の櫛型片１２２(図中上殻体１１の櫛型片１２２は図示なし)を設置する。これにより、破砕後の紙がローラーカッター１３に従い回転動しないよう阻害し、こうしてシュレッダーの破砕効果が不良となり、或いは紙詰まり現象が発生することを防止する。上、下殻体１１、１２一端には、少なくとも１個の柱孔１１２、１２３、及び数個の槽孔１１３、１２４をそれぞれ設置する。少なくとも１個の柱孔１１２、１２３により、伝動装置２と連結して固定し、数個の槽孔１１３、１２４により、ローラーカッター１３を通して設置し、伝動装置２と連結させる。
【００１１】
伝動装置２は、回転動ユニット２１、ギアセット２２を備える。回転動ユニット２１は、固定部品２１１と回転動部品２１２を備える。固定部品２１１は、ハウジング１一端上に固定して設置する。固定部品２１１は、収容設置空間を備え、収容設置空間にギアセット２２を収容する。しかも、固定部品２１１上には、軸孔２１３を設置し、これによりギアセット２２の回転軸を通し、回転動部品２１２と連結させる。回転動部品２１２は、固定部品２１１の反対端上に可動状態で設置し、しかも固定部品２１１に沿って回転する。
【００１２】
ギアセット２２は、主動ホイール２２１、少なくとも２個の受動ホイール２２２、伝動ホイール２２３を備える。主動ホイール２２１の回転軸は、回転動ユニット２１上に固定して設置する。２個の受動ホイール２２２は、交差して並列する１組のローラーカッター１３一端上にそれぞれ固定して設置し、しかも相互に噛み合う。伝動ホイール２２３は、主動ホイール２２１と受動ホイール２２２の傍らに設置し、主動ホイール２２１及び受動ホイール２２２と噛み合い、その回転動を駆動する。
【００１３】
図３に示すように、組合せ時には、ハウジング１外に、スリーブ１０１を嵌めて設置し、これにより造形上の美しさ及びシュレッダー保護などの作用を加える。スリーブ１０１上には、手提げベルト(図示なし)を増設し、使用者の形態の便を図ることもできる。
【００１４】
図１、２、３に示すように、応用時には、スリーブ１０１を取り外し、紙を殻体１１の投入口１１１中に置く。使用者は、殻体１１の一辺を握り、反対の手で、伝動装置２の回転動部品２１２に対して、回転操作を行わせるよう力を加える。こうして、回転動部品２１２は、固定部品２１１に沿って回転し、これにより回転動ユニット２１上に固定して設置する主動ホイール２２１を回転させ、さらに伝動ホイール２２３に伝わる。これが受動ホイール２２２を連動し、ローラーカッター１３の作動を駆動し、クロスカット式の破砕動を達成する(詳細なシュレッダー操作に関しては、図７、８に示す)。
【００１５】
本考案の構造は、設計、組合せにおいて、必要に応じて、ハウジング１を様々な形状に多様に変化させることができる。例えば、図４に示す組合せでは、ローラーカッター１３両端に、ギアセット２２をそれぞれ設置し、ローラーカッター１３回転動時の安定性を向上させ、受ける力を平均して回転動をスムーズにすることができる。或いは、図５に示す組合せでは、一部のギアセット２２の２個の受動ホイール２２２を、ローラーカッター１３傍らに設置し、しかも内１個のローラーカッター１３の軸を長くし、回転動ユニット２１と連結する。これにより、回転動ユニット２１は、ローラーカッター１３の作動を直接連動するため、殻体１の投入口１１１、排出口１２１は、上、下殻体１１、１２の中心から離れた位置に設置することができる。
【００１６】
図６、７、８に示すように、本考案の第二実施例では、ハウジング１を楕円形状の筒体とする。ハウジング１一端上に、第一実施例同様に回転動ユニット２１の固定部品２１１と回転動部品２１２を設置する他に、ハウジング１の反対端を延長して、グリップエンド１００を設置する。これにより、使用者はグリップエンド１００を握って操作可能となる。また、上殻体１１の投入口１１１上には、挟持部品１１４を設置し、紙３を挟み、紙３が投入口１１１にスムーズに投入され、破砕作動を順調に行うことができるよう、補助する。
【００１７】
図９に示すように、ハウジング１の排出口１２１上には、蓋板１２５、或いは挿入式の蓋片(図示なし)を可動状態で設置することができる。これにより、シュレッダー全体は造形的な美しさを増強し、同時に、不注意で手を差し込み、怪我をする、或いは硬い異物が内部に入り込み、シュレッダーが破損するなどの状況の発生を回避することができる。しかも、蓋板１２５を開けると、手で握る際の限度位置としてちょうど使用することができる。すなわち、使用者が、回転動部品２１２を操作する際に力を入れ過ぎ、不注意で手を滑らせてしまった場合にも、使用者の滑った手は、瞬間的に力を入れていた方向に沿って、自然に蓋板１２５上に力を加え、蓋板１２５で排出口１２１上を覆うことになる。こうして、使用者の手が、排出口１２１、及びその内部の櫛型片１２２に触れて負傷する恐れを払拭することができ、良好な保護効果を備える。
【００１８】
図１０に示すように、シュレッダーの外側には、袋体４を被せて設置し、しかもその一端には引き紐４１を設置することができる。これにより、袋体４の開口部を閉じることができ、シュレッダーの携帯に便利であり、また、シュレッダー全体のデザインに対応した美しさを増強することができる。さらに、図１１に示すように、シュレッダーの使用時には、袋体４の引き紐４１を殻体上に被せ、こうして袋体４を殻体の排出口１２１下方に吊り下げることができる。こうして、排出口１２１から排出される破砕された紙を集めることができるため、使用者は廃棄場所を探す時間と破砕された紙を整理する不便を省くことができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案の要件である新規性を備え、従来の同類製品に比べ十分な進歩を有し、実用性が高く、社会のニーズに合致しており、産業上の利用価値は非常に大きい。
【符号の説明】
【００２１】
１  ハウジング
１００  グリップエンド
１０１  スリーブ
１１  上殻体
１１１  投入口
１１２  柱孔
１１３  槽孔
１１４  挟持部品
１２  下殻体
１２１  排出口
１２２  櫛型片
１２３  柱孔
１２４  槽孔
１２５  蓋板
１３  ローラーカッター
２  伝動装置
２１  回転動ユニット
２１１  固定部品
２１２  回転動部品
２１３  軸孔
２２  ギアセット
２２１  主動ホイール
２２２  受動ホイール
２２３  伝動ホイール
３  紙
４  袋体
４１  引き紐
【図１】
0003156670.tif 000003
【図２】
0003156670.tif 000004
【図３】
0003156670.tif 000005
【図４】
0003156670.tif 000006
【図５】
0003156670.tif 000007
【図６】
0003156670.tif 000008
【図７】
0003156670.tif 000009
【図８】
0003156670.tif 000010
【図９】
0003156670.tif 000011
【図１０】
0003156670.tif 000012
【図１１】
0003156670.tif 000013